(57)【要約】【課題】  自動原稿供給装置を備えた画像読取装置の画像読み取り動作の効率化を図ること。【解決手段】 光源２を設けた走行体５６を走行させて原稿読み取りを行うことができる画像読取装置であって、自動原稿供給装置４０を使用するときは、自動原稿供給装置に設けた原稿セット検知センサ４１で原稿サイズを検知するとともに、走行体５６を自動原稿供給装置で供給される原稿を照明する第１の位置（ａ）に配置して画像の読み取りを行い、自動原稿供給装置４０を使用しないときは、前記走行体５６をコンタクトガラス５１上に配置された原稿のサイズの読取を開始する第２の位置（ｂ）に配置し原稿のサイズを検知する。また、光源のプレ点灯のオンオフ制御、照度制御を前回の読取と今回の読取りとの間の時間の長短に基づいて制御する【選択図】  図３
2007028570.tif 000002
【特許請求の範囲】
【請求項１】
光源を設けた走行体を走行させて原稿読み取りを行うことができる画像読取装置であって、
自動原稿供給装置を使用するときは、自動原稿供給装置に設けたセンサで原稿サイズを検知するとともに、前記走行体を前記自動原稿供給装置で供給される原稿を照明する第１の位置に配置して画像の読取を行い、
自動原稿供給装置を使用しないときは、前記走行体をコンタクトガラス上に配置された原稿のサイズの読取を開始する第２の位置に配置し原稿のサイズを検知することを特徴とする画像読取装置。
【請求項２】
走行体の位置制御を行う位置制御手段を備え、
前記走行体は、前記第１の位置と、前記第２の位置と、コンタクトガラス上に配置された原稿の画像情報を読み取る当初配置位置である第３の位置に配置でき、
走行体制御手段は原稿の供給位置に基づいて前記走行体の配置位置を前記第１ないし第３の位置に配置することを特徴とする請求項１の画像読取装置。
【請求項３】
自動原稿供給装置の開閉状態を検出する開閉検知手段を備えたことを特徴とする請求項１または２の画像読取装置。
【請求項４】
自動原稿供給装置に原稿の有無を検出する原稿検出手段を備え、原稿検出手段が自動原稿供給装置に原稿あることを検知したときには、その後の自動原稿供給装置の開閉状態にかかわらず走行体を前記第１の位置に位置させることを特徴とする請求項１ないし３のいずれかの画像読取装置。
【請求項５】
前記自動原稿供給装置を使用しないときは、前記走行体を前記第２の位置に配置した後光源を点灯して原稿サイズを検知することを特徴とする請求項１ないし４のいずれかの画像読取装置。
【請求項６】
コンタクトガラス上の原稿の読取処理終了後に前記走行体を前記第２の位置に配置することを特徴とする請求項１ないし５のいずれかの画像読取装置。
【請求項７】
原稿の有無を検出する原稿検出手段と、自動原稿供給装置の開閉状態を検出する開閉検知手段とを備え、前記自動原稿供給装置に原稿が配置されていないことを検出した状態で、自動原稿供給装置の開閉を行った場合には走行体を前記第１の位置から前記第２の位置へと移動させることを特徴とする請求項１または２の画像読取装置。
【請求項８】
前記第1の位置から前記第２の位置への走行体の移動開始後、原稿サイズ読取り動作時の光源の発光に先立つ光源のプレ発光を行うことを特徴とする請求項７の画像読取装置。
【請求項９】
前記プレ発光を、読取り動作時よりも低照度で行うことを特徴とする請求項７または８の画像読取装置。
【請求項１０】
前回の読取り動作を行ってから今回の読取り動作を行うまでの経過時間があらかじめ定められた所定時間より短いときは、前記今回の読取り動作時に前記プレ発光を停止することを特徴とする請求項７ないし９のいずれかの画像読取装置。
【請求項１１】
前回の読取り動作を行ってから今回の読取り動作を行うまでの経過時間があらかじめ定められた所定時間を超えたとき、前記今回の読取り動作時の前記プレ発光を原稿読取り時より低照度で行うことを特徴とする請求項７ないし１０のいずれかの画像読取装置。
【請求項１２】
前回の読取り動作を行ってから今回の読取り動作を行うまでの経過時間があらかじめ定められた所定時間を超えたとき、前記今回の読取り動作時の前記プレ発光を読取り動作時と同じ照度で行うことを特徴とする請求項７ないし１のいずれかの画像読取装置。
【請求項１３】
前回の読取り動作を行ってから今回の読取り動作を行うまでの経過時間があらかじめ定められた所定時間より短いときは、前記今回の読取り動作時に前記プレ発光を停止し、経過時間が前記所定時間を超えたときは、前記今回の読取り動作時の前記プレ発光を原稿読取り時より低照度で行い、経過時間が前記所定時間より長い他の所定時間を超えたとき、前記今回の読取り動作時の前記プレ発光を前記プレ発光を読取り動作時と同じ照度で行うことを特徴とする請求項７ないし１２のいずれかの画像読取装置。
【請求項１４】
請求項１ないし請求項１３のいずれかの画像読取装置を備えたことを特徴とする画像形成装置。
【発明の詳細な説明】
【技術分野】
【０００１】
本発明は、画像読取装置及び画像形成装置に係り、特に光源を設けた走行体を走行させて原稿を読み取り可能な画像読取装置及び画像形成装置に関する。
【背景技術】
【０００２】
画像形成装置例えば複写機の画像読取装置では、自動原稿供給装置からの原稿や、コンタクトガラス上に載置した原稿を光源で照明し、原稿の反射光をＣＣＤイメージセンサで読み取り、画像データを取得している。このような装置では、画像の読取に際しては、原稿のサイズ大きさ、変倍率、読取密度を設定し、その設定に従って読み取り線速、読み取り距離等の読み取り条件を決定する。
【０００３】
このような設定はユーザー自身で行うこともできるが、読取装置の自動判定により自動設定を行えるほうがユーザーによって操作性がよく、設定ミスも防止することができる。
画像読取装置における原稿サイズ検知に関する技術として以下のものある。
【０００４】
特許文献１には、プラテンガラス上に原稿をセットし、該原稿を走査装置により走査した画像の光を、イメージセンサを用いて電気信号に変換して画像の読み取りを行うデジタル方式の画像読み取り装置において、前記走査装置のホームポジション位置を、原稿先端部から走査装置の移動方向に所定の間隔を介して設け、前記ホームポジションに位置する前記走査装置からの光を変換した電気信号によって原稿幅の検知を行う検知手段と、原稿の長さを検知するための１つまたは複数のフォトセンサを備えた検知手段と、を設け、前記２種類の検知手段からの情報を用いて、原稿のサイズと、該原稿の方向とを判断するとともに、前記ホームポジションにおける原稿幅検知の後に原稿先端に向けて前記走査装置を移動させて、原稿画像読み取りのための走査を開始することを特徴とする画像読み取り装置が記載されている。
【０００５】
特許文献２には自動原稿供給装置からの原稿はスリット露光用ガラスの下の読取位置Ｂで静止して読み取らせ、プラテンガラス上の原稿はプラテンガラスの下を走行して読み取らせる画像読取装置において、上記走行体の状態を検知する状態検知手段を有し、上記状態検知手段で検知された状態が予め定められた閾値を越えた場合、上記制御装置が、上記走行体を上記読取位置からホームポジションまでの距離以上を移動させてから上記読取位置またはホームポジションに戻す、或いは、ホームポジションより離れた位置に第２ホームポジションを設けてそこに移動させるものが記載されている。
【０００６】
特許文献３には、プラテンカバーの開閉状態を検知する検知手段と、プラテンガラスに載置された原稿の画像を読取走査するキャリッジと、待機時には、キャリッジを画像読取走査領域外のホームポジションに停止させ、プラテンカバーが閉じ状態から開き状態に変化したことを検知手段が検知した際には、キャリッジを画像読取走査領域内の原稿サイズ検知ポジションに移動させるコントローラとを備えるものが記載されている。
【０００７】
特許文献４には、透明板面上に固定された原稿に対して原稿読取手段である光学ユニット（光学系）を移動させながら読み取る走査手段を有する平面走査装置において、前記走査手段の他に光学ユニットを固定した状態で原稿を透明平板上で移動させて走査する走査手段を設け、移動する原稿の高さを規制する高さ規制部材を読取点上の原稿の裏面側に設けるとともに、透明平板を上下動自在に支持し、且つ、移動する原稿裏面を前記高さ規制部材に付勢しつつ透明平板を原稿表面に付勢する付勢手段を設ける。従って、本発明によれば、移動する原稿に対して常に一定の焦点距離を保証することが可能となるものが記載されている。
【０００８】
特許文献５には、原稿の長手方向のサイズを検知するために配置された原稿サイズ検知センサと，原稿サイズ検知時に，第１の光学キャリジ，第２の光学キャリジ，ＣＣＤイメージセンサ及び副光源を制御してＣＣＤイメージセンサで副走査方向の複数ライン分の原稿画像を読み取る読取制御手段としてのスキャナコントローラと，ＣＣＤイメージセンサで読み取った副走査方向の複数ライン分の原稿画像及び原稿サイズ検知センサの検知結果に基づいて原稿のサイズを判定する原稿サイズ判定手段としての原稿サイズ検知部とを備えたものが記載されている。
【０００９】
【特許文献１】特許第３１６８６６６号公報
【特許文献２】特開２００３−１０１７２８号公報
【特許文献３】特開平１１−１９６２３５号公報
【特許文献４】特開平１０−１８６５３５号公報
【特許文献５】特開平８−７９４６３号公報
【発明の開示】
【発明が解決しようとする課題】
【００１０】
ところで、走行体を移動させて原稿サイズ検知を行う画像読取装置においては、画像読取装置には自動原稿供給装置（自動原稿供給装置）を設置したものが多い。このような画像読取装置において、光源を配置した走行体は、停止時において、第１の位置（図８中ａ）、第２の位置（図７中ｂ）、第３の位置（図７中ｃ）の３個所に配置されることとなる。
【００１１】
第１の位置（ａ）は、通常時走行体が配置される待機位置であり、自動原稿供給装置から供給される原稿を読み取るときの位置である。この場合走行体は、スリットガラスの直下に固定配置され、スリットガラス上を移動される原稿を照明する。
【００１２】
第２の位置（ｂ）は、コンタクトガラス上に配置された原稿のサイズ読取の際のスタート位置で、原稿の画像情報読み取りの前に原稿のサイズを検出するため、矢印Ａに示すように移動される。
【００１３】
第３の位置（ｃ）は、ブック原稿等コンタクトガラスに配置された原稿の読取開始位置であり、走行体は、この位置（ｂ）からコンタクトガラス上を矢印Ｂに示すように移動し、コンタクトガラスに配置された原稿の画像を照明する。
【００１４】
ここで、自動原稿供給装置を使用する際には原稿サイズは、自動原稿供給装置側で読み取るため、走行体を移動しての原稿サイズの読取り動作は必要ないため、走行体は、上記待機位置（ａ）に配置される。一方、自動原稿供給装置を使用しないでコンタクトガラスに原稿を載置して画像を読み取るときには、原稿サイズの読み取り動作が必要なため走行体は画像情報の読取前に、原稿サイズ読取位置（ｂ）に配置されなければならない。
【００１５】
ところで、このような画像読取装置は、自動原稿供給装置を使用して画像情報を読み取ったり、コンタクトガラス上に原稿を配置して画像情報を読み取ったりさまざまな状態で使用される。このため、使用の状況によって前記走行体の配置位置を設定することにより、画像読取動作を効率化することできる。
【００１６】
本発明は、上記課題に鑑みてなされたものであり、自動原稿供給装置を備えた画像読取装置の画像読み取り動作の効率化を図ることを目的とする。
【課題を解決するための手段】
【００１７】
請求項１の発明は、光源を設けた走行体を走行させて原稿読み取りを行うことができる画像読取装置であって、自動原稿供給装置を使用するときは、自動原稿供給装置に設けたセンサで原稿サイズを検知するとともに、前記走行体を前記自動原稿供給装置で供給される原稿を照明する第１の位置に配置して画像の読取を行い、自動原稿供給装置を使用しないときは、前記走行体をコンタクトガラス上に配置された原稿のサイズの読取を開始する第２の位置に配置し原稿のサイズを検知することを特徴とする。
【００１８】
請求項２の発明は、請求項１の画像読取装置において、走行体の位置制御を行う位置制御手段を備え、前記走行体は、前記第１の位置と、前記第２の位置と、コンタクトガラス上に配置された原稿の画像情報を読み取る当初配置位置である第３の位置に配置でき、走行体制御手段は原稿の供給位置に基づいて前記走行体の配置位置を前記第１ないし第３の位置に配置することを特徴とする。
【００１９】
請求項３の発明は、請求項１または２の画像読取装置において、自動原稿供給装置の開閉状態を検出する開閉検知手段を備えたことを特徴とする。
【００２０】
請求項４の発明は、請求項１ないし３のいずれかの画像読取装置において、自動原稿供給装置に原稿の有無を検出する原稿検出手段を備え、原稿検出手段が自動原稿供給装置に原稿あることを検知したときには、その後の自動原稿供給装置の開閉状態にかかわらず走行体を前記第１の位置に位置させることを特徴とする。
【００２１】
請求項５の発明は、請求項１ないし４のいずれかの画像読取装置において、前記自動原稿供給装置を使用しないときは、前記走行体を前記第２の位置に配置した後光源を点灯して原稿サイズを検知することを特徴とする。
【００２２】
請求項６の発明は、請求項１ないし５のいずれかの画像読取装置において、コンタクトガラス上の原稿の読取処理終了後に前記走行体を前記第２の位置に配置することを特徴とする。
【００２３】
請求項７の発明は、請求項１または２の画像読取装置において、原稿の有無を検出する原稿検出手段と、自動原稿供給装置の開閉状態を検出する開閉検知手段とを備え、前記自動原稿供給装置に原稿が配置されていないことを検出した状態で、自動原稿供給装置の開閉を行った場合には走行体を前記第１の位置から前記第２の位置へと移動させることを特徴とする。
【００２４】
請求項８の発明は、請求項７の画像読取装置において、前記第1の位置から前記第２の位置への走行体の移動開始後、原稿サイズ読取り動作時の光源の発光に先立つ光源のプレ発光を行うことを特徴とする。
【００２５】
請求項９の発明は、請求項７または８の画像読取装置において、前記プレ発光を、読取り動作時よりも低照度で行うことを特徴とする。
【００２６】
請求項１０の発明は、請求項７ないし９のいずれかの画像読取装置において、前回の読取り動作を行ってから今回の読取り動作を行うまでの経過時間があらかじめ定められた所定時間より短いときは、前記今回の読取り動作時に前記プレ発光を停止することを特徴とする。
【００２７】
請求項１１の発明は、請求項７ないし１０のいずれかの画像読取装置において、前回の読取り動作を行ってから今回の読取り動作を行うまでの経過時間があらかじめ定められた所定時間を超えたとき、前記今回の読取り動作時の前記プレ発光を原稿読取り時より低照度で行うことを特徴とする。
【００２８】
請求項１２の発明は、請求項７ないし１のいずれかの画像読取装置において、前回の読取り動作を行ってから今回の読取り動作を行うまでの経過時間があらかじめ定められた所定時間を超えたとき、前記今回の読取り動作時の前記プレ発光を読取り動作時と同じ照度で行うことを特徴とする。
【００２９】
請求項１３の発明は、請求項７ないし１２のいずれかの画像読取装置において、前回の読取り動作を行ってから今回の読取り動作を行うまでの経過時間があらかじめ定められた所定時間より短いときは、前記今回の読取り動作時に前記プレ発光を停止し、経過時間が前記所定時間を超えたときは、前記今回の読取り動作時の前記プレ発光を原稿読取り時より低照度で行い、経過時間が前記所定時間より長い他の所定時間を超えたとき、前記今回の読取り動作時の前記プレ発光を前記プレ発光を読取り動作時と同じ照度で行うことを特徴とする。
【００３０】
請求項１４の発明は、請求項１ないし請求項１３のいずれかの画像読取装置を備えたことを特徴とする画像形成装置である。
【発明の効果】
【００３１】
本発明に係る画像読取装置及び画像形成装置によれば、自動原稿供給装置の状態により走行体の位置決めを行うため、自動原稿供給装置で読取り作業を行う場合、及び、自動原稿供給装置を使用しないで読取り作業を行う場合において、その後の画像読取り作業を実施するための移行時間少ないものとでき、すばやい画像読取処理を行うことができる。
【発明を実施するための最良の形態】
【００３２】
以下本発明を実施するための最良の形態としての実施例を図面に基づいて説明する。
【実施例】
【００３３】
図１は、本発明に係る電子写真方式の複写機やプリンタ装置等の画像形成装置を概念的に示す断面図である。本実施例の画像形成装置は、その主な構成としては、原稿を読み取る画像読取装置５０、画像を形成する画像形成装置１２、自動原稿供給装置（ＡＤＦ）４０、自動原稿供給装置４０から送り出される原稿をスタックする原稿排紙トレイ１４、給紙カセット１５ないし１８を備える給紙部１９、記録用紙をスタックする排紙トレイ２０により構成してある。
【００３４】
そして、自動原稿供給装置４０を使用する場合には、自動原稿読取用の幅狭のコンタクトガラス５２において、搬送されてきた原稿Ｄを画像読取装置５０により読み取る。一方自動原稿供給装置４０を使用しないで原稿を読み取る際には、自動原稿供給装置４０をその一端を指示するヒンジ部において開き、自動原稿供給装置４０の原稿圧板とコンタクトガラス５１の間に配置された原稿Ｄの画像を画像読取装置５０によって読み取る。
【００３５】
本例に係る画像読取装置５０では、自動原稿供給装置４０を使用した場合には、原稿サイズは、画像読取装置５０内に配置されたセンサで検出される。一方自動原稿供給装置４０を使用しない場合には、原稿の主走査方向のサイズ判定は画像読み取り用のＣＣＤイメージセンサで読み取った画像データに基づいて行われ、副走査方向のサイズ判定は画像読取装置５０内の原稿有無検知センサの出力に基づいて行なわれ、これらの結果により原稿サイズの検知を行なう。
【００３６】
画像読取装置５０は、コンタクトガラス５１上の原稿Ｄを照明する光源２、原稿画像を結像するレンズ８、原稿画像を結像させる光電変換素子であるＣＣＤセンサ９を有している。ここで光源２は走行体５６上に配置され、図３に示すように、他の光学素子とともに図中の矢印のようにさまざまに移動される。
【００３７】
一方、画像形成装置１２の内部には、像担持体である感光体３０が配置してある。感光体３０は、図において時計方向に回転駆動し、帯電装置３１によって表面を所定の電位に帯電させる。また、書き込みユニット３２からは、読み取り装置２５によって読み取った画像情報に応じて光変調したレーザ光Ｌを照射し、帯電させた感光体３０の表面をこのレーザ光Ｌで露光し、これによって感光体３０の表面に静電潜像を形成する。この静電潜像は、現像装置３３を通るとき、対向する転写装置３４によって感光体３０と転写装置３４の間に給送された記録媒体Ｐに転写する。トナー像転写後の感光体３０の表面は、クリーニング装置３５によって清掃する。
【００３８】
画像形成装置１２の下部に配置した複数の給紙カセット１５ないし１８には、紙等の記録媒体Ｐを収容してあり、いずれかの給紙カセット１５ないし１８から記録媒体Ｐを矢印Ｂ３方向へ送り出し、その記録媒体Ｐの表面に、上述のように感光体３０の表面に形成したトナー像を転写する。次に、記録媒体Ｐを矢印Ｂ４で示すように画像形成装置１２内の定着装置３６を通し、熱と圧力の作用によって記録媒体Ｐの表面に転写されたトナー像を定着させる。定着装置３６を通った記録媒体Ｐを排出ローラ対３７によって搬送し、矢印Ｂ５で示すように排紙トレイ２０へ排出し、スタックする。
【００３９】
次に本実施例に係る画像読取装置５０について説明する。図２は画像読取装置５０を自動原稿供給装置４０を含めて示す概略断面図、図３は図２に示した画像読取装置の光学系の移動状態を示す図、図４は本例に係る画像読取装置の機能ブロック図、図５は本例に係る画像読取装置の作動を示すフローチャート、図６は本例に係る画像読取装置の作動を示すフローチャート、図７は本例に係る画像読取装置の作動を示すフローチャート、図８はコンタクトガラス及び自動原稿供給装置用コンタクトガラスと走行体の位置関係を示す図である。
【００４０】
本例では、自動原稿供給装置４０は、図２に示すように、原稿Ｄを載置する原稿載置部４３と、載置された原稿を一枚ずつ搬送する原稿搬送路４２を備えた原稿搬送装置と、原稿が原稿載置部４３にセットされたことをと検知する原稿セット検知センサ４１とを備える。
【００４１】
原稿載置部４３にセットされた原稿Ｄは原稿搬送路４２を通って自動原稿供給装置用のコンタクトガラス５２上で画像を読取られる。自動原稿供給装置を使用しないときには通常のコンタクトガラス５１上にセットされた原稿を走行体５６が移動しながら原稿面を走査して読取っていく。
【００４２】
また、本例では、自動原稿供給装置には開閉検知を行う開閉検知手段を備える。この開閉検知手段は自動原稿供給装置４０側にフィラーが、画像読取装置５０側にフォトインタラプタセンサが設けられており、フォトインタラプタセンサがフィラーの有無を検出して自動原稿供給装置の開閉を検知する。本例では、フォトインタラプタセンサの中にフィラーが無い状態からある状態に移行したときに自動原稿供給装置が閉じていると判断する。
【００４３】
本例に係る画像読取装置を機能的にみれば、図４に示すようになる。すなわち、画像読取装置は、自動原稿供給装置４０で移送される原稿Ｄのセット状態を検知する原稿セット検知センサ４１と、この原稿セット検知センサ４１からの信号に基づいてスキャナを制御するスキャナコントローラ７３とを備える。また、スキャナコントローラ７３にはコンタクトガラス上の原稿（圧板原稿）Ｄを照明する光源２を制御するランプレギュレータ７４と、前記走行体５６を駆動するモータ７６を制御するモータドライバ７５とが接続されている。圧板原稿Ｄの反射光を検出するＣＣＤセンサ９の信号と原稿検知センサ７２とで圧板原稿Ｄのサイズを検出する原稿サイズ検知部７１を備えている。
【００４４】
また、走行体５６はキャリッジ検知センサ８０でその位置が検出され、検出された信号は、前記スキャナコントローラ７３にフィードバックされその位置が制御される。キャリッジ検知センサ８０、ＡＤＦ読取センサ８１、圧板位置読取センサ８２、原稿サイズ読取位置センサ８３を備える。
【００４５】
次に本例に係る画像読取装置の作動について説明する。図５及び図６は本例に係る画像読取装置の作動を示すフローチャートである。本例に係る画像読取装置は、図５に示すように自動原稿供給装置４０の原稿セット検知センサ４１が原稿セットを検知した場合（Ｓ１）には、走行体を待機位置（ａ）に移動させて（Ｓ２）待機位置での読取ジョブを開始し（Ｓ３）これをすべての原稿について行う（Ｓ４）。一方自動原稿供給装置４０の原稿セット検知センサ４１で原稿を検知しないとときには、走行体５６を原稿サイズ読取位置（ｂ）に移動させ（Ｓ５）コンタクトガラス上での原稿読取ジョブを開始する。
【００４６】
自動原稿供給装置４０での読取処理を詳細に説明する。図６に示すように、自動原稿供給装置４０に原稿がセットされているかを原稿セット検知センサ４１で検出する。原稿セットを検出した場合には（Ｓ１１）走行体位置移動終了信号があるかを確認して走行体を待機位置（ａ）に移動し（Ｓ１２、Ｓ１３）、原稿読取ジョブを開始する（Ｓ１４）。このジョブが終了するまでＳ２からＳ４までを繰り返す（Ｓ１２〜Ｓ１５）。
【００４７】
すなわち、本例では、走行体の位置を決めるために、自動原稿供給装置４０の原稿セット検知センサ４１からの信号がＯＮとなると、走行体の初期の位置を自動原稿供給装置原稿の読み取り位置である待機位置へ予め移動をしておく。その後、速やかに画像の読取り動作を行うことができる。
【００４８】
また、自動原稿供給装置４０での読取り作業が終了した後は、予め定められている一定の時間の経過後に走行体は原稿読取り位置へと移動することになる。このとき、自動原稿供給装置４０に原稿がセットされたことが原稿セット検知センサ４１で検出されたとき走行体５６を第２の位置（ｂ）に速やかに移動させ、その後の自動原稿供給装置の開閉状態にかかわらず走行体を前記第１の位置に位置させることができる。このためその後の自動原稿供給装置４０を使用しての画像読取り作業を実施するための移行時間を省くことができ、すばやい画像読取処理を行うことができる
【００４９】
一方、自動原稿供給装置に原稿がセットされていない場合には、図５及び図６に示すように走行体位置移動終了信号を確認して（Ｓ２１）走行体を原稿サイズ読取位置（ｂ）に移動し（Ｓ２２）原稿読取ジョブを開始する（Ｓ１４，Ｓ１５）。
【００５０】
すなわち本例では、前記自動原稿供給装置４０が開いた状態から閉じられたタイミングで光源を点灯させ、走行体を原稿サイズ読取り位置（ｂ）からホームポジションである待機位置（ａ）へと移動させながら原稿データを複数回読取る。このときのデータは連続的でもある範囲のデータの集合でもどちらでも良い。複数回の読み取りを行うことによって検知精度が向上する。取ったデータのうち閾値よりも明るいデータがあった部分が原稿の存在する部分と判断される。前記読取りデータと副走査方向の原稿サイズ検知センサのデータとを基にして原稿のサイズを決定する。
【００５１】
また、この場合は、予め原稿サイズ読取り位置（ｂ）へ移動していた走行体が前記フィラーとフォトインタラプタセンサの動きによりサイズ検知動作を行いながら読取開始位置（ｃ）へと移動して原稿サイズを決定した後画像読取り動作に入ることになる。
【００５２】
次に、本発明に係る自動原稿供給装置４０において、原稿のサイズ検出のための光源の点灯の前に、光源２を予め点灯（プレ点灯）する場合における本発明の実施例について説明する。本発明に係る画像形成装置では、サイズ検出時において光源２を点灯させる前に、プレ点灯させることにより、サイズ検出時において光源が安定した照度で発光するようにし、原稿サイズ検出の精度を高めている。
【００５３】
本発明では、プレ点灯を行うかどうか、また、プレ点灯の照度の程度を前回の光源が消灯したときからの時間ｘにより制御するようにしている。
【００５４】
即ち、本例では、図７に示すように、自動原稿供給装置４０に原稿を検出し、走行体を待機位置（ａ）に移動させて（Ｓ２２）待機位置での読取ジョブを開始し（Ｓ２３）これをすべての原稿について行う。自動原稿供給装置４０に原稿がないことを確認（Ｓ２４）したときには、前回の読取り動作の終了時からの経過時間ｘの長さにより次の制御を行う。
【００５５】
消灯からの経過時間が短いと光源がまだ温かく保たれており、プレ点灯することなく光源が安定発光できる。すなわち、本例では、前回読取り動作の経過時間ｘが予め定めた時間ｔ１より長い場合には、光源のプレ点灯をしないで走行体５６を第２の位置である原稿サイズ読取り位置（ｂ）に移動し（Ｓ２５，Ｓ２６）、そのまま原稿の画像データを読取り原稿サイズを検知し（Ｓ２７）、走行体５６を第１の位置である待機位置（ａ）に移動して終了する。
【００５６】
一方経過時間が短いと光源の冷却の程度が少なく、低照度のプレ点灯でデータ読取り時に安定発光ができる。即ち、本例では、経過時間ｘが前記ｔ１以上であり、かつ予め定めた時間ｔ２以下である場合には、光源のプレ点灯を通常より低照度として、走行体５６を原稿サイズ読取り位置に移動して（Ｓ３０，Ｓ３１）、そのまま原稿の画像データを読取り原稿サイズを検知し（Ｓ２７）、走行体５６を第１の位置である待機位置（ａ）に移動して終了する。
【００５７】
また、経過時間が長いと光源の冷却しており、十分なプレ点灯を行わなければデータ読取り時に安定発光ができない。即ち、本例では、経過時間が前記ｔ２を超える場合には、光源のプレ点灯を通常と同じ照度として、走行体５６を原稿サイズ読取り位置に移動して（Ｓ３０，Ｓ３２）、そのまま原稿の画像データを読取り原稿サイズを検知し（Ｓ２７）、走行体５６を第１の位置である待機位置（ａ）に移動して終了する。
【００５８】
このような制御を行うことにより、光源のプレ点灯の制御を行うことにより、点灯遅延を少なくしつつ、検知精度を保つことができる他、プレ点灯時に照度を落してユーザーが感じるまぶしさを低減することができる。また、前回に行った画像読取り動作からの経過時間に従って適切な照度のプレ点灯が行われから、無駄な電力を使用せず省電力化を実現することができる。
【図面の簡単な説明】
【００５９】
【図１】本発明に係る電子写真方式の複写機やプリンタ装置等の画像形成装置を概念的に示す断面図である。
【図２】画像読取装置の自動原稿供給装置部を含めた概略断面図である。
【図３】図２に示した画像読取装置の光学系の移動状態を示す図である。
【図４】本例に係る画像読取装置の機能ブロック図である。
【図５】本例に係る画像読取装置の作動を示すフローチャートである。
【図６】本例に係る画像読取装置の作動を示すフローチャートである。
【図７】本例に係る画像読取装置の作動を示すフローチャートである。
【図８】コンタクトガラス及び自動原稿供給装置用コンタクトガラスと走行体の位置関係を示す図である
【符号の説明】
【００６０】
２：光源
８：レンズ
９：ＣＣＤセンサ
１２：画像形成装置
１４：原稿排紙トレイ
１５〜１８：給紙カセット
１９：給紙部
２０：排紙トレイ
２５：装置
３０：感光体
３１：帯電装置
３２：ユニット
３３：現像装置
３４：転写装置
３５：クリーニング装置
３６：定着装置
３７：排出ローラ対
４０：自動原稿供給装置
４１：原稿セット検知センサ
４２：原稿搬送路
４３：原稿載置部
５０：画像読取装置
５１：コンタクトガラス
５２：コンタクトガラス
５６：走行体
７１：原稿サイズ検知部
７２：原稿検知センサ
７３：スキャナコントローラ
７４：ランプレギュレータ
７５：モータドライバ
７６：モータ
８０：キャリッジ検知センサ
８１：ＡＤＦ読取センサ
８２：圧板位置読取センサ
８３：原稿サイズ読取位置センサ
【図１】
2007028570.tif 000003
【図２】
2007028570.tif 000004
【図３】
2007028570.tif 000005
【図４】
2007028570.tif 000006
【図５】
2007028570.tif 000007
【図６】
2007028570.tif 000008
【図７】
2007028570.tif 000009
【図８】
2007028570.tif 000010